(57)【要約】      （修正有）【課題】感染から人体を保護するための合成樹脂の薄皮の感染症防護服であって、早期に製造し易く、価格が安価で、且つ、軽量で脱着も容易な感染症防護服を提供する。【解決手段】人体の両肩および両腕を覆う、略中空円筒形状の袖防護部材１１と、人体の胴を覆う、略袋形状の胴防護部材１２とを有し、袖防護部材は、円筒面の中央に人体の肩を配置するための胴用開口部を備え、胴防護部材は、略袋形状の底に頭部を挿し出す頭部用穴部と、底の両端に腕を挿入する腕用穴部と、を備え、使用時に、先ず胴用開口部に肩を配置して円筒内に腕を挿入し、次に胴防護部材の袋の口を下にした状態で胴体を覆うように装着し、頭部用穴部から頭部を挿し出し、腕用穴部から腕を挿し出す。【選択図】図１
0003229457.tif 000002
【実用新案登録請求の範囲】
【請求項１】
感染から人体を保護するための合成樹脂の薄皮の感染症防護服であって、
前記人体の両肩および両腕を覆う、略中空円筒形状の袖防護部材と、
前記人体の胴を覆う、略袋形状の胴防護部材と
を有し、
前記袖防護部材は、円筒面の中央に前記人体の肩を配置するための胴用開口部を備え、
前記胴防護部材は、略袋形状の底に前記頭部を挿し出す頭部用穴部と、前記底の両端に腕を挿入する腕用穴部と、を備え、
使用時に、先ず前記胴用開口部に前記肩を配置して円筒内に腕を挿入し、次に前記胴防護部材の袋の口を下にした状態で胴体を覆うように装着し、前記頭部用穴部から前記頭部を挿し出し、前記腕用穴部から腕を挿し出す、
ことを特徴とする、感染症防護服。
【請求項２】
前記袖防護部材および／または前記胴防護部材は、脱ぐときに防護服を破り易くするためのミシン加工を備える、ことを特徴とする、請求項１に記載の感染症防護服。
【請求項３】
前記合成樹脂は、ポリエチレンである、ことを特徴とする、請求項１または請求項２に記載の感染症防護服。
【考案の詳細な説明】
【技術分野】
【０００１】
本考案は、感染から人体を保護するための合成樹脂の薄皮の感染症防護服である。
【背景技術】
【０００２】
インフルエンザやコロナなどのウィルスや病原菌などの感染から人体を保護するための防護服が知られている。特許文献１では、異物に対する人体の防護に用いられる防護服であって、人体の少なくとも一部を覆う服本体を具備し、前記服本体の前面以外に開閉部を設けた防護服に関する技術を開示している。特許文献２では、防水性、非透過性などの特性を有する素材で形成したつなぎ形態の防護服本体の前面に上方より股下近傍位置まで開閉可能なファスナーを取付けると共に、前記防護服本体の内側背後位置に廃棄時の防護服本体を収納するための収納袋部を取付け、この収納袋部の内面と外面の双方に結束バンドを取付けたことを特徴とする感染症防護服に関する技術を開示している。特許文献３では、防水性、非透過性などの特性を有する素材で形成したガウン形態の防護服本体の内側位置に廃棄時の防護服本体を収納するための収納袋部を取付け、この収納袋部の内面と外面の双方に結束バンドを取付けたことを特徴とする感染症防護服に関する技術を開示している。特許文献４では、身頃と、少なくとも正面側がラグランスリーブ状に形成された左右の袖と、正面側の襟ぐりから下方に延びる第１ファスナーと、正面側の襟ぐりから左右いずれかの腋窩に延びる第２ファスナーを有し、該第２ファスナーによって左右いずれかの袖の正面側と身頃が開閉可能に連結されたことを特徴とする防護服に関する技術を開示している。
【先行技術文献】
【特許文献】
【０００３】
【特許文献１】特開２０１９−３１７４８号公報
【特許文献２】登録実用新案公報第３１４１３７９号
【特許文献３】登録実用新案公報第３１４３５９５号
【特許文献４】登録実用新案公報第３１７５６５７号
【考案の概要】
【考案が解決しようとする課題】
【０００４】
早期に製造し易く、価格が安価で、且つ、軽量で脱着も容易な感染症防護服が求められている。
【０００５】
本考案は、感染から人体を保護するための合成樹脂の薄皮の感染症防護服であって、早期に製造し易く、価格が安価で、且つ、軽量で脱着も容易な感染症防護服を提供することを目的とする。また、本考案は、感染から人体を保護するための合成樹脂の薄皮の感染症防護服であって、使い捨てできる簡易的な感染症防護服を提供することを目的としてもよい。
【課題を解決するための手段】
【０００６】
上記課題を解決するために、本考案の一つの実施形態は、感染から人体を保護するための合成樹脂の薄皮の感染症防護服であって、前記人体の両肩および両腕を覆う、略中空円筒形状の袖防護部材と、前記人体の胴を覆う、略袋形状の胴防護部材とを有し、前記袖防護部材は、円筒面の中央に前記人体の肩を配置するための胴用開口部を備え、前記胴防護部材は、略袋形状の底に前記頭部を挿し出す頭部用穴部と、前記底の両端に腕を挿入する腕用穴部と、を備え、使用時に、先ず前記胴用開口部に前記肩を配置して円筒内に腕を挿入し、次に前記胴防護部材の袋の口を下にした状態で胴体を覆うように装着し、前記頭部用穴部から前記頭部を挿し出し、前記腕用穴部から腕を挿し出す、ことを特徴とする、感染症防護服を提供する。
【０００７】
本考案の他の実施形態は、上記の感染症防護服であって、前記袖防護部材および／または前記胴防護部材は、脱ぐときに防護服を破り易くするためのミシン加工を備える、ことを特徴とする、感染症防護服であってもよい。
【０００８】
本考案の他の実施形態は、上記のいずれか一つの感染症防護服であって、前記合成樹脂は、ポリエチレンである、ことを特徴とする、感染症防護服であってもよい。
【考案の効果】
【０００９】
本考案に係る感染症防護服によれば、早期に製造し易く、価格が安価で、且つ、軽量で脱着も容易な感染症防護服を提供することができる。また、本考案に係る感染症防護服によれば、感染から人体を保護するための合成樹脂の薄皮の感染症防護服であって、使い捨てできる簡易的な感染症防護服を提供することができる。また、本考案に係る感染症防護服によれば、軽量であり、折り畳んでも嵩張らず、長期保存に適した感染症防護服を提供することができる。
【図面の簡単な説明】
【００１０】
【図１】本考案の実施形態に係る感染症防護服１００の一例を説明する説明図である。
【図２】本考案の実施形態に係る感染症防護服１００の袖防護部材１１の一例を説明する説明図である。
【図３】本考案の実施形態に係る感染症防護服１００の胴防護部材１２の一例を説明する説明図である。
【考案を実施するための形態】
【００１１】
実施形態に係る感染症防護服の例を用いて、本考案を説明する。なお、本考案は、以後に説明する感染症防護服以外でも、インフルエンザやコロナなどのウィルスや病原菌などの感染等から人体を保護するためのもの（服、防具、装置、部品、システムなど）であれば、いずれのものにも用いることができる。なお、感染症防護服の大きさは、とくに限定されず、使用する人に応じて、設計、実験、計算などで予め定められる大きさとすることができる。
【００１２】
下記にて、各構成を具体的に説明する。
【００１３】
図１乃至図３を用いて、本考案の実施形態に係る感染症防護服の構成を説明する。ここで、図１（ａ）は、本考案の実施形態に係る感染症防護服１００の使用時の一例を説明する写真である。図１（ｂ）は、本考案の実施形態に係る感染症防護服１００の一例を説明する説明図である。図２は、本考案の実施形態に係る感染症防護服１００の袖防護部材１１の一例を説明する説明図である。図３は、本考案の実施形態に係る感染症防護服１００の胴防護部材１２の一例を説明する説明図である。なお、図１等に示す感染症防護服の構成等は一例であり、本考案は図１等に示す感染症防護服等に限定されるものではない。
【００１４】
図１（ａ）および（ｂ）に示すように、本考案に係る感染症防護服１００は、感染から人体を保護するための合成樹脂の薄皮のものである。本考案に係る感染症防護服１００は、人体の両肩および両腕を覆う略中空円筒形状の袖防護部材１１（図１（ｂ）の点線）と、人体の胴を覆う略袋形状の胴防護部材１２（図１（ｂ）の一点鎖線）とを有する。本考案に係る袖防護部材および胴防護部材の形状および大きさは、とくに限定されない。また、本考案に係る袖防護部材および胴防護部材の形状および大きさは、使用する人等に応じて、設計、実験、計算などで予め定められる形状および大きさとすることができる。なお、図１（ａ）に示すように、使用者はキャップ、フェイスガード、ゴーグル、マスク、手袋、シューズカバーなどを更に使用してもよい。
【００１５】
袖防護部材１１は、図１（ｂ）および図２に示すように、人体の両肩および両腕を覆う略中空円筒形状のものである。袖防護部材１１は、本実施形態では、円筒面の中央に、腕を通し易いように、人体の肩を配置するための胴用開口部１１ａ（図２）を備える。なお、本考案に係る袖防護部材の形状および大きさは、とくに限定されない。また、本考案に係る袖防護部材の形状および大きさは、使用する人等に応じて、設計、実験、計算などで予め定められる形状および大きさとすることができる。袖防護部材１１は、合成樹脂として、ポリエチレンを用いることができる。また、袖防護部材１１は、袖の先端部に親指を通す穴をさらに有してもよい。
【００１６】
胴防護部材１２は、図１（ｂ）および図３に示すように、人体の胴を覆う略袋形状のものである。胴防護部材１２は、本実施形態では、略袋形状の底に頭部を挿し出す頭部用穴部１２ａ（図３）と、底の両端に腕を挿入する腕用穴部１２ｂ（図３）と、を備える。なお、本考案に係る胴防護部材の形状および大きさは、とくに限定されない。また、本考案に係る胴防護部材の形状および大きさは、使用する人等に応じて、設計、実験、計算などで予め定められる形状および大きさとすることができる。胴防護部材１２は、合成樹脂として、ポリエチレンを用いることができる。また、胴防護部材１２は、肩の部分を直線型の間欠式融着熱板で加工してもよい。
【００１７】
本考案に係る感染症防護服は、図１乃至図３に示すように、使用時に、先ず、袖防護部材１１の胴用開口部１１ａに肩を配置して円筒内に腕を挿入する。次に、胴防護部材１２の袋の口を下にした状態で胴体を覆うように装着する。次いで、頭部用穴部１２ａから頭部を挿し出し、腕用穴部１２ｂから腕を挿し出す。これにより、本考案に係る感染症防護服によれば、容易に装着することができる。
【００１８】
図２および図３に示すように、本考案に係る感染症防護服は、本実施形態では、袖防護部材１１および／または胴防護部材１２に、脱ぐときに防護服を破り易くするためのミシン加工を備える。ここで、ミシン加工とは、点線状の孔を並べた加工である。これにより、本考案に係る感染症防護服によれば、点線状の孔の部分で容易に破ることができるので、容易に脱ぐことができる。なお、本考案に係る感染症防護服のミシン加工の位置や形状は、とくに限定されない。本考案に係る感染症防護服のミシン加工の位置や形状は、設計、実験、計算などで予め定められる位置および形状とすることができる。
【００１９】
以上のとおり、本考案に係る感染症防護服によれば、胴体部の防護ポンチョと袖部の防護筒を組み合わせて、簡易防護具とすることができるので、早期に製造し易く、価格が安価で、且つ、軽量で脱着も容易な感染症防護服を提供することができる。また、本考案に係る感染症防護服によれば、胴体部の防護ポンチョと袖部の防護筒を組み合わせて、簡易防護具とすることができるので、使い捨てできる簡易的な感染症防護服を提供することができる。また、本考案に係る感染症防護服によれば、胴体部の防護ポンチョと袖部の防護筒を組み合わせて、簡易防護具とすることができるので、軽量であり、折り畳んでも嵩張らず、長期保存に適した感染症防護服を提供することができる。また、本考案に係る感染症防護服によれば、脱ぐときに防護服を破り易くするためのミシン加工を備えるので、ミシン加工の点線状の孔の部分で容易に破ることができ、容易に脱ぐことができ、脱ぐときの感染リスクを低減することができる。
【００２０】
また、本考案に係る感染症防護服によれば、ポリエチレン（ポリエチレンチューブなど）を加工して、胴体部の防護ポンチョと袖部の防護筒を組み合わせて、簡易防護具とすることができるので、従来（たとえば塩化ビニールを用いた製品）と比較して、安価、軽量、且つ、脱着も容易であり、短期製造・低価格化・スピーディーな脱着ができる感染症防護服とすることができる。また、本考案に係る感染症防護服によれば、ポリエチレン（ポリエチレンチューブなど）を加工して、胴体部の防護ポンチョと袖部の防護筒を組み合わせて、簡易防護具とすることができるので、燃焼しても有毒ガス等が発生しないので容易に廃棄することができ、100%リサイクル再生可能で、環境負荷を低減することができ、持続可能な開発目標（SDGｓ）にも貢献することができる。
【００２１】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２２】
１００  ：  感染症防護服
１１  ：  袖防護部材
１１ａ：  胴用開口部
１２  ：  胴防護部材
１２ａ：  頭部用穴部
１２ｂ：  腕用穴部
【図１】
0003229457.tif 000003
【図２】
0003229457.tif 000004
【図３】
0003229457.tif 000005